(57)【要約】【課題】強化板ガラスが自然破損した欄干パネルであっても、その取外しに供することが可能な欄干パネル取外し用具を提供すること。【解決手段】循環走行して乗客を搬送する無端搬送体である踏段１２の走行路を含む乗客の通路ＰＷに沿って複数のガラス製欄干パネル１８が立設されてなる乗客コンベアであるエスカレータ１０の欄干パネル１８の取外しに用いる欄干パネル取外し用具を、板部材であるプラスチック段ボール１３４と、プラスチック段ボール１３４の第１の主面に形成された粘着剤層１３８と、プラスチック段ボール１３４の第２の主面側に設けられた取っ手１４６と、有する構成とした。【選択図】図２
2018002448.tif 000002
【特許請求の範囲】
【請求項１】
循環走行して乗客を搬送する無端搬送体の走行路を含む乗客の通路に沿って複数のガラス製欄干パネルが立設されてなる乗客コンベアの前記欄干パネルの取外しに用いる欄干パネル取外し用具であって、
板部材と、
前記板部材の第１の主面に形成された粘着剤層と、
前記板部材の第２の主面側に設けられた取っ手と、
有することを特徴とする欄干パネル取外し用具。
【請求項２】
前記第１の主面は、前記乗客コンベアに設置されている状態の欄干パネルの前記通路側において露出している主面部分に合致する接着面を含み、当該接着面に前記粘着剤層が形成されていることを特徴とする請求項１に記載の欄干パネル取外し用具。
【請求項３】
前記接着面が取外しの対象となる対象欄干パネルの前記主面部分に接着された状態において、当該対象欄干パネルに隣接する隣接欄干パネルと正面視で重なるストッパ部であって、
前記隣接欄干パネルの前記通路側の主面に当接することにより、前記対象欄干パネルの取外し中に、当該対象欄干パネルが前記通路とは反対側に落下するのを防止するストッパ部を有することを特徴とする請求項２に記載の欄干パネル取外し用具。
【請求項４】
前記ストッパ部は、前記板部材において、前記接着面を含む部分から前記隣接パネル側に延出された板部材部分であることを特徴とする請求項３に記載の欄干パネル取外し用具。
【請求項５】
前記第１の主面の全部が前記接着面であって、
前記ストッパ部は、前記第２の主面に取り付けられていることを特徴とする請求項３に記載の欄干パネル取外し用具。
【請求項６】
前記板部材は、筋目が前記対象欄干パネルの上端縁部と平行となるプラスチック段ボールからなり、
前記取っ手は、前記第２の主面に接着された長尺の基板に固定されて、当該第２の主面側に設けられていて、
当該基板は、その長さ方向を前記筋目と交差させて前記第２の主面に接着されていることを特徴とする請求項２〜５のいずれか１項に記載の欄干パネル取外し用具。
【発明の詳細な説明】
【技術分野】
【０００１】
本発明は、欄干パネル取外し用具に関し、特に、エスカレータその他の乗客コンベアの構成部材である欄干パネルの取外しに用いる用具に関する。
【背景技術】
【０００２】
乗客コンベア、例えば、エスカレータでは、環状に連結されて循環走行する踏段の走行路を含む乗客の通路の両側に、当該通路に沿って列設されてなる複数の欄干パネルを構成部材とする欄干が設置されている。この欄干パネルには、近年において意匠性が重視される中、ガラス製のものが多く用いられている（特許文献１、特許文献２、特許文献３、特許文献４）。ガラス製の欄干パネルは、強化板ガラスの片面に飛散防止フィルムが貼着されてなるものである。
【０００３】
飛散防止フィルムは、強化板ガラスにおいて、一般的に、前記通路とは反対側（以下、「外側」と言う。）主面の全面に貼着されている。通路側（以下、「内側」と言う。）に貼着すると、飛散防止フィルムが、乗客の靴や手荷物等に擦られて汚損し、意匠性が損なわれるからである。
【０００４】
欄干パネルの各々は、その下端縁部が、当該下端縁部に沿って間隔を空けて設置された複数の固定器具によって支持されている。また、前記走行路の両側に設置される欄干パネルの上端縁部や、昇降口（出入口）に設置される欄干パネルの上端縁部および円弧状縁部には、移動手摺を案内するガイドレールが直接、または、取付部材を介して取り付けられている。
【０００５】
欄干パネルは、飛散防止フィルムが経年劣化した場合等には、新しいものと交換される。この場合、先ず、交換対象となる欄干パネルが取り外される。具体的には、従来、取っ手が付いたガラス用吸盤を強化板ガラスの内側の面に吸着させ、当該ガラス用吸盤を欄干パネルに固定する。次に、前記上端縁部や円弧状縁部からガイドレールを取り外し、前記下端縁部の固定器具による固定を解除する。そして、前記取っ手を握って欄干パネルを持ち上げ、固定器具から取り外している。
【０００６】
また、強化板ガラスは、当該強化板ガラスが粒状にひび割れるといった、いわゆる自然破損した場合にも交換がなされる。
【先行技術文献】
【特許文献】
【０００７】
【特許文献１】特開２０１３−１２４１８２号公報
【特許文献２】特開２０１２−２４６０７２号公報
【特許文献３】特開２０１０−２１５３９３号公報
【特許文献４】特開平５−３１９７５９号公報
【発明の概要】
【発明が解決しようとする課題】
【０００８】
この場合、ひび割れた前記強化板ガラス面（内側の面）に吸盤を吸着させることはできないため、前記ガラス用吸盤を取外し用具として用いることができない。
【０００９】
このため、従来、欄干パネルを直接、軍手等を着用した手で支持して、前記固定器具から取り外している。すなわち、破損した欄干パネル横の踏段に立って、前記固定器具間の前記下端縁部に手を伸ばして欄干パネルを支持して前記固定器具から取り外している。
【００１０】
しかしながら、足場としては不安定な踏段の上で腰を屈めて、欄干パネルの下端縁部に手を伸ばし、当該欄干パネルを支持するといった作業は能率が低いものとなってしまう。
【００１１】
なお、上記の課題は、エスカレータのみならず他の乗客コンベア、例えば、移動歩道を構成する欄干パネルの取外しにも共通する。
【００１２】
本発明は、上記した課題に鑑み、強化板ガラスが自然破損した欄干パネルであっても、その取外しに供することが可能な欄干パネル取外し用具を提供することを目的とする。
【課題を解決するための手段】
【００１３】
上記の目的を達成するため、本発明に係る欄干パネル取外し用具は、循環走行して乗客を搬送する無端搬送体の走行路を含む乗客の通路に沿って複数のガラス製欄干パネルが立設されてなる乗客コンベアの前記欄干パネルの取外しに用いる欄干パネル取外し用具であって、板部材と、前記板部材の第１の主面に形成された粘着剤層と、前記板部材の第２の主面側に設けられた取っ手と、有することを特徴とする。
【００１４】
また、前記第１の主面は、前記乗客コンベアに設置されている状態の欄干パネルの前記通路側において露出している主面部分に合致する接着面を含み、当該接着面に前記粘着剤層が形成されていることを特徴とする。
【００１５】
さらに、前記接着面が取外しの対象となる対象欄干パネルの前記主面部分に接着された状態において、当該対象欄干パネルに隣接する隣接欄干パネルと正面視で重なるストッパ部であって、前記隣接欄干パネルの前記通路側の主面に当接することにより、前記対象欄干パネルの取外し中に、当該対象欄干パネルが前記通路とは反対側に落下するのを防止するストッパ部を有することを特徴とする。
【００１６】
この場合に、前記ストッパ部は、前記板部材において、前記接着面を含む部分から前記隣接パネル側に延出された板部材部分であることを特徴とする。
【００１７】
あるいは、前記第１の主面の全部が前記接着面であって、前記ストッパ部は、前記第２の主面に取り付けられていることを特徴とする。
【００１８】
また、前記板部材は、筋目が前記対象欄干パネルの上端縁部と平行となるプラスチック段ボールからなり、前記取っ手は、前記第２の主面に接着された長尺の基板に固定されて、当該第２の主面側に設けられていて、当該基板は、その長さ方向を前記筋目と交差させて前記第２の主面に接着されていることを特徴とする。
【発明の効果】
【００１９】
上記の構成からなる欄干パネル取外し用具によれば、第１の主面を欄干パネルの主面に向かって押圧することにより、粘着剤層によって、当該欄干パネル用取外し用具を接着固定でき、第２主面側に設けられた取っ手を持って欄干パネルの取外し作業を行うことができる。このように、板部材の主面（第１主面）に形成された粘着剤層によって、接着するので、強化板ガラスが自然破損した欄干パネルであっても当該欄干パネル用取外し用具を固定することができるため、当該欄干パネルの取外しに供することができる。
【図面の簡単な説明】
【００２０】
【図１】欄干パネルの取外し対象となるエスカレータの概略構成を示す斜視図である。
【図２】上記エスカレータを構成する欄干の概略構成を示す断面図である。
【図３】上記欄干を構成する欄干パネルを固定支持する固定器具の、（ａ）は平面図を、（ｂ）は正面図を、（ｃ）は前記平面図に対する右側面図を、（ｄ）は固定器具の構成部材であるシャフトの先端部分の拡大斜視図をそれぞれ示している。
【図４】上記欄干パネルの交換作業途中における、上記固定器具の一状態を示す図である。
【図５】欄干パネルの上端部に設けられた取付部材の、（ａ）は前記上端部に固定された状態を、（ｂ）は固定が解除された状態をそれぞれ示す断面図である。
【図６】（ａ）は上記取付部材を上記欄干パネルに固定するくさび部材に引上げボルトが螺合した状態を、（ｂ）は当該引上げボルトによって前記取付部材の固定が解除された状態をそれぞれ示す断面図である。
【図７】（ａ）は上記欄干を構成する欄干パネルの概略構成を示す正面図であり、（ｂ）は同背面図であり、（ｃ）は同左側面図である。
【図８】上記欄干パネルの取外しに用いられる欄干パネル取外し用具の、（ａ）は正面図を、（ｂ）は左側面図を、（ｃ）は下面図をそれぞれ示している。
【図９】上記欄干パネル取外し用具を構成するプラスチック段ボールの、（ａ）は一部を省略した斜視図であり、（ｂ）は筋目の方向から見た一部省略側面図である。
【図１０】上記欄干パネル取外し用具を構成する取っ手ユニットの斜視図である。
【図１１】上記欄干パネル取外し用具を用いた、欄干パネル取外し作業を説明するための図である。
【図１２】（ａ）、（ｂ）は、それぞれ、変形例１、変形例２に係る欄干パネル取外し用具を、取外し対象となる欄干パネルに接着した状態で、通路から見た図である。
【図１３】（ａ）は、変形例３に係る欄干パネル取外し用具を、取外し対象となる欄干パネルに接着した状態で、通路から見た図であり、（ｂ）は、同欄干パネル取外し用具を図８（ｃ）と同様に表した下面図である。
【図１４】（ａ）は上記欄干を構成する欄干パネルの内、上端に設置される端部欄干パネルの概略構成を示す正面図であり、（ｂ）は、当該端部欄干パネルの取外しに用いられる欄干パネル取外し用具の正面図である。
【図１５】（ａ）は上記欄干を構成する欄干パネルの内、下端に設置される端部欄干パネルの概略構成を示す正面図であり、（ｂ）は、当該端部欄干パネルの取外しに用いられる欄干パネル取外し用具の正面図である。
【発明を実施するための形態】
【００２１】
以下、本発明に係る欄干パネル取外し用具の実施形態について、エスカレータ用の欄干パネル取外し用具を例に説明する。
【００２２】
＜エスカレータの全体構成＞
先ず、欄干パネルの取外し対象となるエスカレータ１０について説明する。図１に示すように、エスカレータ１０は、環状に連結されて循環走行し、乗客を搬送する無端搬送体である複数の踏段１２を有する。踏段１２の走行路および上下の昇降口（出入口）を含む乗客の通路ＰＷの両側には、欄干１４，１６が設置されている。
【００２３】
欄干１４，１６の各々は、通路ＰＷに沿って立設された複数の欄干パネル１７，１８，…，１８，１９を有する（図１において、欄干パネルは、片側の欄干１４を構成する欄干パネルのみに符号を付している。）。欄干パネル１７，１８，１９の各々は、ガラス製であり、後述するように、強化板ガラスと強化板ガラスの所定の範囲に貼着された飛散防止フィルムとを含むものである。
【００２４】
ここで、複数の欄干パネル１７，１８，１９の内、列設方向において両端部に設けられた端部欄干パネルを特に区別する必要がある場合、当該端部欄干パネルを「ニューエルパネル１７，１９」と称することとする。換言すれば、ニューエルパネル１７，１９は、通路ＰＷの出入口（出口または入口）に設けられた欄干パネルである。また、ニューエルパネル１７，１９以外の欄干パネルを「中間パネル１８」と称することとする。
【００２５】
複数の欄干パネル１７，１８，１９の外周には、ガイドレール（図１では不図示）に案内され、踏段１２と同期して（すなわち、同じ向きに同じ速度で）循環走行する無端ベルト状をした移動手摺２０，２２がそれぞれ設けられている。前記ガイドレールに案内される移動手摺２０，２２は、複数の欄干パネル１７，１８，１９の上端に沿って走行する区間（乗客が掴む区間）では、水平方向に走行した後、カーブして直線的に斜行し、またカーブして再び水平方向に走行する。
【００２６】
エスカレータ１０は、例えば、建築物内の階下のフロアＤＳと階上のフロアＵＳとの間に架け渡されて設置されている。エスカレータ１０は、踏段１２の走行の向きが切り替えられて、昇り用あるいは下り用として用いられ、踏段１２に乗った乗客が、階下のフロアＤＳから階上のフロアＵＳ、あるいは階上のフロアＵＳから階下のフロアＤＳへと搬送される。
【００２７】
エスカレータにおいて、欄干１４，１６各々を構成する欄干パネルを一体物（一枚物）とすると非常に長くなるため、製造上等の理由から、上述したように複数枚の分割構成とされている。この分割の態様として、図１に示すように、エスカレータの傾斜角度（移動手摺２０，２２の上記斜行の角度）に対して垂直方向に分割された所謂「垂直割」と、前記傾斜角度に関わらず鉛直方向に分割された所謂「鉛直割」（不図示）とがある。
【００２８】
また、エスカレータには、乗り口と降り口で水平となる踏段（ステップ）の枚数（以下、「水平ステップ数」と言う。）が１.５枚になるタイプと３枚になるタイプのものがある。エスカレータ１０の水平ステップ数は、１.５枚である。
【００２９】
垂直割か鉛直割か、また、水平ステップ数が１.５枚か３枚かによって、欄干パネルの形状が異なってくる。
【００３０】
＜欄干＞
次に、欄干１４，１６について説明する。欄干１４と欄干１６とは、通路ＰＷを挟んで対称的に設置されていて、基本的には同じ構成を有している。よって、欄干１４を代表に図２を参照しながら説明し、欄干１６についての説明は省略することとする。なお、図２は、移動手摺２０が斜行する区間において、移動手摺２０の走行方向と直交する平面で切断した図である。また、図２において、後述する固定器具２６は切断せずに表しており、その他の部材についての切断面のハッチングは、便宜上、省略している。
【００３１】
欄干１４を構成する欄干パネル１８は、方形の強化板ガラス１８２と、強化板ガラス１８２表面の一部に接着剤（不図示）によって貼着された飛散防止フィルム１８４とを含む。強化板ガラス１８２は、例えば、透明ガラスであり、飛散防止フィルム１８４は、例えば、透明フィルムである。なお、図において、飛散防止フィルム１８４の厚みは強化板ガラス１８２の厚みに比して誇張して描いている。
【００３２】
飛散防止フィルム１８４は、強化板ガラス１８２が破損した場合に、文字通り、その破片が飛散するのを防止するためのものであり、例えば、ポリエステルからなる。強化板ガラス１８２における飛散防止フィルム１８４の貼着領域については後述する。
【００３３】
＜固定器具等＞
図２に示すように、欄干１４を構成する欄干パネル１８の各々は、その下端部がそれぞれ、通路ＰＷに沿って設置された複数台（例えば、２台）の固定器具２６よってトラス２８に固定されている。固定器具２６は、いずれも同様の構成なので、一の固定器具２６について説明する。
【００３４】
固定器具２６は固定ブラケット３０と可動ブラケット３２とを有し、固定ブラケット３０が締結部材であるボルト３４Ｂ、ナット３４Ｎによってトラス２８に固定されて、固定器具２６はトラス２８に取り付けられている。なお、固定ブラケット３０は、２組のボルト３４Ｂ・ナット３４Ｎでトラス２８に固定されているのであるが、図２には、一方のボルト３４Ｂ・ナット３４Ｎのみが現れている。
【００３５】
固定ブラケット３０には、ボルト・ナット３６によって、外デッキ４０が取り付けられている。
【００３６】
続いて、固定器具２６の詳細について、図３を参照しながら説明する。固定器具２６は前述の通り、固定ブラケット３０と可動ブラケット３２とを有する。
【００３７】
固定ブラケット３０は、トラス２８（図２）に固定する際にボルト３４Ｂ（図２）が挿通されるボルト挿通孔４４を有する。固定ブラケット３０には、トラス２８に固定された状態で、垂直面をなす受け面４６が形成されている。受け面４６は、固定器具２６で後述のように欄干パネル１８を固定支持した状態（図２）で欄干パネル１８の下端部の通路ＰＷとは反対側の主面部分と対向する面である。
【００３８】
可動ブラケット３２は、固定ブラケット３０に対し、シャフト４８によって、後述するように揺動可能に軸支されている。シャフト４８は、円柱形の丸棒の両端に、いわゆる二面取り加工を施したものである。この二面取り加工により、シャフト４８の両端（図３(ｄ)では、一端のみを図示）には、平行な２面を有する板状部４８Ａが形成されている。シャフト４８は、板状部４８Ａ以外の円柱部４８Ｂが、図３（ａ）において、固定ブラケット３０を上下方向に貫通する孔（不図示）に挿入されており、板状部４８Ａのみが、固定ブラケット３０の両側面３０Ａから突出している。なお、シャフト４８の円柱部４８Ｂと固定ブラケット３０に形成された前記孔（不図示）の各々には、対応するキー溝（不図示）が形成されており、シャフト４８は、当該孔（不図示）に対し、円柱部４８Ｂが不図示の平行キーによって、回転不能に取り付けられている。
【００３９】
可動ブラケット３２は、図３（ａ）における上下方向両端部において、左方向に延びる一対のアーム部５０を有している。アーム部５０各々の先端部には、前記上下方向に貫通するだるま穴５２（図３(ｂ)に、一方のみを図示）が開設されている。だるま穴５２は、円形部５２Ａとこれに連通した長穴部５２Ｂとからなる。長穴部５２Ｂの幅は、シャフト４８の板状部４８Ａがガタツクことなく係合する大きさとなっている。また、円形部５２Ａの直径は、シャフト４８の円柱部４８Ｂよりも僅かに大きい寸法となっている。
【００４０】
そして、両だるま穴５２にシャフト４８の板状部４８Ａが挿入されて、可動ブラケット３２が固定ブラケット３０に取り付けられている。板状部４８Ａがだるま穴５２の長穴部５２Ｂに係合している図３（ｂ）に示す状態では、可動ブラケット３２は、固定ブラケット３０に対し、シャフト４８の軸心周りに揺動不能となる。一方、可動ブラケット３２が、矢印Ａの向きに押し込まれて、だるま穴５２の円形部５２Ａに板状部４８Ａが進入すると、可動ブラケット３２は、シャフト４８の軸心周りに揺動可能となる。
【００４１】
ここで、板状部４８Ａが長穴部５２Ｂに（その奥まで進入して）、係合している状態を、可動ブラケット３２が固定ブラケット３０に対し「固定状態」にあると言い、板状部４８Ａが長穴部５２Ｂから外れて円形部５２Ａに存する状態を、可動ブラケット３２が固定ブラケット３０に対し「可動状態」にあると言うこととする。
【００４２】
可動ブラケット３２は、固定状態で、欄干パネル１８（図２）の下端面を後述するクッションパッド７６，７８を介して支持することとなる支持部５４を有する。支持部５４は、略長方形の板状をしている。上述した両アーム部５０は、図３（ａ）において、支持部５４の上下方向両端部から左方向に延出されている。
【００４３】
可動ブラケット３２は、支持部５４において両アーム部５０とは反対側の端部から垂直に立ち上がり、固定状態で、固定ブラケット３０の受け面４６と対向する対向部５６，５８を有する。対向部５６，５８の各々には、固定ブラケット３０に対し可動ブラケット３２が固定状態で、固定ブラケットの受け面４６に垂直な方向に形成された２つの雌ねじ（合計で４つ、いずれも不図示）がそれぞれ形成されており、当該雌ねじの各々には、圧接部材である圧接ボルト６０，６２，６４，６６が螺入されている。また、圧接ボルト６０，６２，６４，６６の各々には、弛み止めナット６８，７０，７２，７４がそれぞれ螺合されている。
【００４４】
可動ブラケット３２の支持部５４の上面には、平板状をしたゴムなどの弾性部材からなるクッション部材であるクッションパッド７６，７８が貼着されている。
【００４５】
図２に戻り、欄干パネル１８の下端部と固定ブラケット３０の受け面４６との間には、長方形状をしたゴムなどからなる弾性部材であるクッションシート８０が挟まれている。クッションシート８０は、主面が受け面４６と同じ形状をしており、受け面４６に重ねた状態で、受け面４６に貼着されている。
【００４６】
欄干パネル１８の下端部と圧接ボルト６０，６２，６４，６６（図２には、２本のみが現れている）の先端と間には、片持ち状の支持具８４の一部と圧接板８２が挟まれている。圧接板８２は、長方形をした鋼板と同じ長方形をしたゴムシートとが貼り合わされてなる２層構造をした板体（図には、当該２層構造を表していない）であり、欄干パネル１８側にゴムシートがあてがわれる形で、挟みこまれている。支持具８４は、逆「レ」字状に屈曲された金属板体からなる。支持具８４には、後述する内デッキ８６が取り付けられている。
【００４７】
欄干パネル１８の下端面の一部は、クッションパッド７６，７８（図２では、クッションパッド７６のみが現れている）上面と当接していて、前記下端面はクッションパッド７６，７８を介して可動ブラケット３２の支持部５４に支持されている。なお、クッションパッド７６，７８は、必須の構成部材ではなく、無くても構わない。その場合には、欄干パネル１８は、その下端面が支持部５４に当接して、支持部５４に支持されることとなる。
【００４８】
図２に示す状態で、受け面４６と対向する対向部５６，５８の雌ねじ（不図示）に螺入された（取り付けられた）圧接ボルト６０，６２，６４，６６は、強く締め付けられていて、その先端が圧接板８２および支持具８４を介して欄干パネル１８の下端部を受け面４６に向かって圧接することにより、欄干パネル１８は、その下端部でトラス２８に固定支持されている。そして、圧接ボルト６０，６２，６４，６６の弛みを防止するため、弛み止めナット６８，７０，７２，７４が締め付けられている。
【００４９】
欄干パネル１８をその下端縁部でトラス（不図示）に支持する固定器具２６に上記のように固定された支持具８４の上端部は、欄干パネル１８側から通路ＰＷ側へ張り出した庇部８４Ａに形成されている。
【００５０】
支持具８４の庇部８４Ａには、平面視でその上側に内デッキ８６の一部が重ねられている。内デッキ８６は、基本的には、長尺のステンレス鋼板を、その横断面が「へ」字状になるように曲げ加工（板金加工）されたものである。ここで、内デッキ８６において、水平方向に対し傾いている部分を傾斜部８６Ａと称し、鉛直方向に平行な部分を側板部８６Ｂと称することとする。内デッキ８６の全長は、例えば、３６００ｍｍである。内デッキ８６の傾斜部８６Ａにおいて庇部８４Ａと重なる重なり部８６Ｃには、長手方向に所定の間隔（例えば、６００ｍｍ）をあけて、バーリング加工が施されていて、これにより下方へ突出した円筒部８６Ｄが前記所定の間隔で複数個形成されている。
【００５１】
支持具８４の庇部８４Ａには、内デッキ８６の円筒部８６Ｄに対応させて、その厚み方向に雌ねじが形成されており、円筒部８６Ｄに上側から挿入された締結部材である皿ねじ８７が、当該雌ねじに螺合している。皿ねじ８７によって、重なり部８６Ｃと庇部８４Ａとが締結されている。
【００５２】
内デッキ８６の欄干パネル１８側端部には端部カバー８８が装着されている。端部カバー８８は、軟質の合成樹脂からなり、全長に亘って横断面形状が一様な帯状をした部材である。
【００５３】
内デッキ８６の側板部８６Ｂ内側に、上端縁部を重ねてスカートガード９０が立設されている。スカートガード９０において、通路ＰＷとは反対側主面の上端部に、補強板９２が接合されている。補強板９２には、上部クリップ９４が接合されている。また、スカートガード９０の同主面には、図示のように下部クリップ９６が接合されている。
【００５４】
スカートガード９０の内側（通路ＰＷに面していない側）には、Ｌ字アングル材からなる上部支持部９８と等辺山形鋼からなる下部支持部１００とが上下に設けられている。上部支持部９８と下部支持部１００は、トラス（不図示）に固定されている。
【００５５】
図２に示すように、上部クリップ９４とスカートガード９０の一部とで上部支持部９８の一部が挟持され、下部クリップ９６とスカートガード９０の一部とで下部支持部１００の一部が挟持され、補強板９２の下端面９２Ａが上部支持部９８の上端面９８Ａに当接して、スカートガード９０が、上部支持部９８と下部支持部１００とで支持されている。
【００５６】
欄干パネル１８が破損した場合等、交換のため、固定器具２６による固定が解除されて、欄干パネル１８が取り外される。固定解除の手順について、以下に説明する。
【００５７】
（i）まず、破損した欄干パネル１８下部に対応する（対向する）、一又は複数枚の内デッキ８６およびスカートガード９０を取り外す。
【００５８】
（ii）次に、弛み止めナット６８，７０，７２，７４（図２、図３）を弛めた後、圧接ボルト６０，６２，６４，６６（図２、図３）を弛め、さらに、圧接ボルト６０，…，６６を、その先端の各々が対向部５６，５８（図２、図３）内に没入するまで、通路ＰＷ側に螺進させて後退させる。
【００５９】
（iii）そして、圧接板８２および支持具８４を取り除き、可動ブラケット３２を、図２の矢印Ａの向きに押し込み、シャフト４８の板状部４８Ａ（図３(ｄ)）がだるま穴５２（図３）の円形部５２Ａに位置するようにする。すなわち、可動ブラケット３２を固定ブラケット３０に対し、「固定状態」から「可動状態」にする。
【００６０】
（i）〜（iii）の作業が終了した状態を図４に示す。
（iv）可動状態にある可動ブラケット３２を、シャフト４８を中心に矢印Ｃの向き（時計方向）に揺動させる。すなわち、可動ブラケット３２を、シャフト４８を中心に欄干パネル１８の下方へ揺動させる。
【００６１】
（v）可動ブラケット３２を上記のように揺動させることにより、可動ブラケット３２は、対向部５６，５８（図３）が受け面４６と対向する姿勢（図２、図４）から、対向部５６，５８が圧接ボルト６０，…，６６と共に欄干パネル１８の下方へ揺動して、欄干パネル１８の下端部の通路ＰＷ側前方を開放すると共に、支持部５４が欄干パネル１８下端面から下方へ離間して欄干パネル１８の固定が解除された姿勢（図１１）となる。
【００６２】
＜照明器具・ガイドレール等＞
下端部が固定器具２６で固定された欄干パネル１８の上端部には、図２に示すように、取付部材１０６等を介して照明器具１０４が取り付けられている。
【００６３】
取付部材１０６は、アルミニウムの押出形材からなり、欄干パネル１８の上端縁に沿って、複数本が間隔を空けて列設されている。
【００６４】
照明器具１０４は、取付部材１０６にＬ字アングル部材１０８を介して取り付けられたホルダ１１０を有し、ホルダ１１０には、蛍光ランプ１１２が嵌め込まれている。
【００６５】
取付部材１０６を覆うように、横断面が略「コ」字状をした長尺の手摺デッキ１１４が、不図示のねじによって、取付部材１０６に取り付けられている。手摺デッキ１１４は、ステンレス鋼板を板金加工したものである。
【００６６】
一本の手摺デッキ１１４は、一本の取付部材１０６よりも長く、複数本の取付部材１０６に亘って、一本の手摺デッキ１１４が取り付けられている。これにより、隣接する取付部材１０６は、両者に取り付けられた手摺デッキ１１４によって連結されていることになる。
【００６７】
手摺デッキ１１４の開口部には、蛍光ランプ１１２を覆うように、合成樹脂からなる半透明のランプカバー１１６が取り付けられている。
【００６８】
取付部材１０６上部には、手摺デッキ１１４を介してガイドレール１１８が固定されている。ガイドレール１１８は、例えば、ステンレス鋼板を板金加工して作製されたものである。ガイドレール１１８は、取付部材１０６上面に対応する底板部１１８Ａを有し、底板部１１８Ａがスポット溶接（不図示）により手摺デッキ１１４に接合されている。ガイドレール１１８は、また、底板部１１８Ａの両端縁から上方へ立ち上がった縦板部１１８Ｂ，１１８Ｃと、縦板部１１８Ｂ，１１８Ｃの上端から外方へ張り出したフランジ部１１８Ｄ，１１８Ｅとを有する。両フランジ部１１８Ｄ，１１８Ｅ間は、図２に示すように開口されている。
【００６９】
ガイドレール１１８には、両フランジ部１１８Ｄ、１１８Ｅ間の開口部を塞ぐように、両フランジ部１１８Ｄ，１１８Ｅに移動手摺２０が取り付けられている。
【００７０】
上記のようにして、照明器具１０４やガイドレール１１８が設けられた取付部材１０６の欄干パネル１８上端部への取付態様について、図５を参照しながら説明する。
【００７１】
図５（ａ）に示すように、取付部材１０６は、下方に開口された溝部１２０を有し、溝部１２０が欄干パネル１８の上端部に上方から嵌め込まれている。
【００７２】
溝部１２０の第１側壁１２０Ａは、欄干パネル１８の一方の主面に沿うように形成されていると共に、第１側壁１２０Ａに対向する第２側壁１２０Ｂは、欄干パネル１８の他方の主面との間隔が下方程狭くなる斜面に形成されている。
【００７３】
欄干パネル１８の前記他方の主面と第２側壁１２０Ｂとの間には、紙面に垂直な方向に細長いくさび部材１２４が設けられている。くさび部材１２４は、金属材料（例えば、ステンレス鋼）、または硬質の合成樹脂からなる。
【００７４】
底板部１１８Ａと手摺デッキ１１４の各々には、連通する貫通孔１１８Ｆ、貫通孔１１４Ａが開設されている。また、取付部材１０６において、貫通孔１１８Ｆ，１１４Ａに対応する位置には、上下に貫通する雌ねじ１０６Ａが形成されている。
【００７５】
雌ねじ１０６Ａには、上部から押えボルト１２６が螺合している。押えボルト１２６が締め込まれて、押えボルト１２６の先端でくさび部材１２４が押し下げられ、くさび作用によって、欄干パネル１８の上端部に取付部材１０６が固定されている。
【００７６】
取付部材１０６の欄干パネル１８への固定を解除するには、図６に示すように、ナット１２８が螺合した引上げボルト１３０を用いる。くさび部材１２４上面の押えボルト１２６(図５)による押圧位置とは異なる位置には、雌ネジ（不図示）が形成されている。当該雌ねじに対応させて、底板部１１８Ａ、手摺デッキ１１４、取付部材１０６の各々には、連通する長孔１１８Ｇ、長孔１１４Ｂ、長孔１０６Ｂが開設されている。長孔１１８Ｇ、長孔１１４Ｂ、長孔１０６Ｂは、紙面に垂直な方向が幅方向となるように開設されており、当該幅は、引上げボルト１３０の呼び径よりも大きく、ナット１２８の二面幅よりも小さい長さに設定されている。
【００７７】
上記の構成において、くさび部材１２４を弛めるときは、先ず、押えボルト１２６(図５（ａ）)を弛め、さらに、その先端（下端）が雌ねじ１０６Ａ内に進入するまで、上向きに螺進させる。
【００７８】
次に、図６（ａ）に示すように、引上げボルト１３０をくさび部材１２４に形成された雌ねじ(不図示)に螺合させる。そして、ナット１２８を矢印の向きに回して、ナット１２８を下向きに螺進させる。ナット１２８が底板部１１８Ａの上面に当接した後もナット１２８を回すと、引上げボルト１３０がナット１２８に対し、相対的に上向きに螺進し、これに伴い、引上げボルト１３０が螺合しているくさび部材１２４が上向きに引き上げられる。このようにして、くさび部材１２４が弛められ、取付部材１０６の欄干パネル１８への固定が解除される。
【００７９】
くさび部材１２４が、図６（ｂ）に示す最大に引き上げられた状態では、取付部材１０６は、欄干パネル１８の上端部に欄干パネル１８の厚み方向に遊びを持って嵌った状態となる（図５（ｂ）、図６（ｂ））。
【００８０】
＜欄干パネル＞
本例における欄干パネル１８では、例えば、強化板ガラス１８２に自然破損が生じて交換するに際し、固定解除された固定器具２６および取付部材１０６から取り外す場合、その上端縁部や下端縁部における破片が可能な限り脱落しないよう以下の工夫がなされている。
【００８１】
図７は、欄干パネル１８単体を示す図である。図７（ａ）は、設置された状態で通路ＰＷ側となる正面図であり、図７（ｂ）は、通路ＰＷとは反対側となる背面図であり、図７（ｃ）は、左側面図である。なお、本図を含む全ての図において各部材間の尺度は統一していない。特に、欄干パネルを示す図においては、強化板ガラスの厚みに対する飛散防止フィルムの厚みは誇張して描いている。また、図７、図１４（ａ）、および、図１５（ａ）において、飛散防止フィルムにはハッチングを施している。
【００８２】
ここで、欄干パネルを構成する強化板ガラスにおいて、欄干パネルを設置した状態で、通路ＰＷとは反対側となる主面を「第１主面」と称し、通路ＰＷ側となる主面を「第２主面」と称することとする。
【００８３】
従来、強化板ガラスの第１主面のみに飛散防止フィルムが貼着されているところ、欄干パネル１８では、図７に示すように、強化板ガラス１８２の第１主面１８２Ａに加え、第２主面１８２Ｂにおける上端縁部１８２Ｕと下端縁部１８２Ｌを含む領域（図７（ｃ））に飛散防止フィルム１８４を貼着した。
【００８４】
ここで、強化板ガラス(１８２)における上端縁部(１８２Ｕ)とは、上端面(１８２Ｕe)から一定幅の領域であって、ガイドレール（１１８）を強化板ガラスに取り付けるための部材取付部材(１０６)が取り付けられる領域である。また、強化板ガラス(１８２)における下端縁部(１８２Ｌ)とは、下端面(１８２Ｌe)から一定幅の領域であって、固定器具(２４)によって固定される領域である。具体的には、本例において、上端縁部１８２Ｕは、図５（ａ）に示すように、取付部材１０６の第１側壁１２０Ａとくさび部材１２４とで挟持される部分を含む領域である。下端縁部１８２Ｌは、固定器具２６における圧接板８２と受け面４６とでとで挟持される部分を含む領域である。なお、照明器具等を有しないエスカレータにおいて、ガイドレールが直接的に強化板ガラスに取り付けられる場合における当該強化ガラスの上端縁部は、当該ガイドレールが嵌めこまれている領域である。
【００８５】
欄干パネル１８は、図７（ｂ）、図７（ｃ）に示すように、強化板ガラス１８２の第１主面１８２Ａには、全面に飛散防止フィルム１８４が貼着されている。
【００８６】
一方、強化板ガラス１８２の第２主面１８２Ｂにおいては、図２、図７（ｃ）に示すように、上端縁部１８２Ｕと下端縁部１８２Ｌに貼着されている。上端縁部１８２Ｕに貼着された飛散防止フィルム１８４は、さらに下方へ延長されて貼着されており、下端縁部１８２Ｌに貼着された飛散防止フィルム１８４は、さらに上方へ延長されて貼着されている。
【００８７】
自然破損した強化板ガラス１８２の上下端部からの破片の脱落を防止するといった観点からは、第２主面１８２Ｂの上下端部において、出来るだけ大きな幅で飛散防止フィルム１８４を貼着することが好ましい。しかし、幅を広げすぎると、乗客から視認される部分が現れてしまう。乗客から視認される飛散防止フィルム部分が汚損すると、意匠性が損なわれてしまう。
【００８８】
そこで、第２主面１８２Ｂにおいては、少なくとも、上端縁部１８２Ｕと下端縁部１８２Ｌを含み、乗客から視認されない領域に飛散防止フィルム１８４を貼着している。
【００８９】
本例では、図５（ａ）に示すように、強化板ガラス１８２の第２主面１８２Ｂにおいて、くさび部材１２４で挟持された領域（すなわち、上端縁部１８２Ｕ）に貼着された飛散防止フィルム１８４は、さらに下方へ延長されて貼着されている。
【００９０】
本例では、飛散防止フィルム１８４が、上端縁部１８２Ｕから下方へ少々はみ出しても、当該はみ出した部分は、手摺デッキ１１４等に隠れて、乗客からは視認されない。そこで、第２主面１８２Ｂの上端部においては、飛散防止フィルム１８４の貼着領域を、上端縁部１８２Ｕのみならず、手摺デッキ１１４等に隠れて乗客から視認されない最大範囲までの領域に飛散防止フィルム１８４を貼着している。
【００９１】
また、第２主面１８２Ｂの下端部においては、下端縁部１８２Ｌから少々上方へはみ出しても、当該はみ出した部分は内デッキ８６等に隠れて、乗客からは視認されない。そこで、第２主面１８２Ｂの下端部においては、飛散防止フィルム１８４の貼着領域を、下端縁部１８２Ｌのみならず、内デッキ８６等に隠れて乗客から視認されない最大範囲までの領域に飛散防止フィルム１８４を貼着している。
【００９２】
図７（ａ）において、２本の一点鎖線で区画された内側の領域が、欄干パネル１８がエスカレータ１０に設置されている状態において、正面視で、通路ＰＷ側において露出している主面（本例では、強化板ガラス１８２の第２主面１８２Ｂ）部分（以下、「露出面１８Ｅ」と言う。）である。
【００９３】
第２主面１８２Ｂに貼着された飛散防止フィルム１８４部分は、第１主面１８２Ａに貼着した飛散防止フィルム１８４の第１主面１８２Ａからはみ出させた部分を第２主面１８２Ｂへ折り返して貼着した部分である。なお、強化板ガラス１８２の上端面１８２Ｕeおよび下端面１８２Ｌeには、必ずしも貼着する必要はない（飛散防止フィルム１８４と上端面１８２Ｕeおよび下端面１８２Ｌeとの間に前記接着剤を介在させる必要はない。）。
【００９４】
以上説明したように、欄干パネル１８では、強化板ガラス１８２の第１主面１８２Ａ全面に加え、第２主面１８２Ｂにおいて、固定器具２６で支持された下端縁部１８２Ｌおよび取付部材１０６が取り付けられた上端縁部１８２Ｕを含む領域に飛散防止フィルム１８４が貼着されている。このため、例えば、強化板ガラス１８２が自然破損し、欄干パネル１８を交換する際に、上端縁部１８２Ｕが手摺デッキ１１４に引っ掛かったり、下端縁部１８２Ｌが固定器具２６に引っ掛かったりしても、破片が脱落するのを可能な限り防止できる。また、第２主面１８２Ｂにおける飛散防止フィルム１８４の貼着領域は、乗客から視認されない領域に限られるため、意匠性を損ねることがない。
【００９５】
＜欄干パネル取外し用具＞
強化板ガラス１８２が自然破損して粒状にひび割れる等し、取外し用具としてガラス用吸盤が使えない場合に用いられる欄干パネル取外し用具（以下、単に「取外し用具」と言う。）１３２について、図８〜図１０を参照しながら説明する。
【００９６】
取外し用具１３２は、図８に示すように、板部材であるプラスチック段ボール（以下、「プラダン」と言う。）１３４とプラダン１３４に取り付けられた一または複数（本例では、４個）の取っ手ユニット１３６とを有する。なお、プラスチック段ボールは、公知の板材である。
【００９７】
プラダン１３４は、図９に示すように、２枚のライナー板１３４２，１３４４で、並列した複数のリブ（筋）１３４６を挟み込んだ構造を有している。プラダン１３４は、例えば、ポリプロピレンからなる。ここで、リブ１３４６の長さ方向は、いわゆる「筋目」と称される。プラダン１３４は、筋目と交差する方向（特に、直交する方向）には比較的曲げ易く、筋目の方向には曲げにくい性質を有している。
【００９８】
図８に戻り、プラダン１３４（の主面）は、欄干パネル１８の露出面１８Ｅに合致する形状を有している。すなわち、プラダン１３４の横寸法Ｌ１は、欄干パネル１８の横寸法Ｇ１（図７（ａ））とほぼ同じである。また、プラダン１３４の縦寸法Ｌ２は、図７（ａ）における２本の２点鎖線間の距離Ｇ２とほぼ同じである。
【００９９】
プラダン１３４の第１主面１３４Ａには、図９に示すように、粘着剤層１３８が形成されている。粘着剤層１３８の、第１主面１３４Ａとは反対側には、剥離紙１４０が積層されている。粘着剤層１３８は、両面テープ（全体は不図示）の一方の剥離紙（不図示）を剥がして、第１主面１３４Ａに接着することによって形成されたものである。剥離紙１４０は、前記両面テープにおけるもう一方の剥離紙である。当該両面テープには、例えば、JISZ 1541（超強力両面粘着テープ）1号1種に相当する強接着両面テープを用いることができる。粘着剤層１３８を構成する粘着剤には、例えば、アクリルフォーム粘着剤を用いることができる。
【０１００】
図８に戻り、取っ手ユニット１３６の各々は、プラダン１３４の第２主面１３４Ｂ側に設けられている。取っ手ユニット１３６は、図１０に示すように、長尺の基板１４２と基板１４２に固定された一または複数個（本例では、３個）の取っ手１４６とを有する。
【０１０１】
基板１４２は、例えば、Ｌ形アルミアングル材からなり、細長い長方形をした平板部１４２２と平板部１４２２の長辺部から垂直に立ち上がった立上り部１４２４とを有する。基板１４２は、立上り部１４２４を有しているため、立上り部１４２４の長さ方向における曲げに対する剛性が高くなっている。
【０１０２】
取っ手１４６は、例えば、アルミ製または硬質プラスチック製の成型品からなり、不図示のねじや接着剤によって、基板１４２の平板部１４２２に固定されている。
【０１０３】
平板部１４２２の取っ手１４６とは反対側の裏側の主面（以下、「裏面」と言う。）には、粘着剤層１４８が形成されている。粘着剤層１４８の、前記裏面とは反対側には、剥離紙１５０が積層されている。粘着剤層１４８は、両面テープ（全体は不図示）の一方の剥離紙（不図示）を剥がして、前記裏面に接着することによって形成されたものである。剥離紙１５０は、前記両面テープにおけるもう一方の剥離紙である。
【０１０４】
取っ手ユニット１３６は、剥離紙１５０を剥がして、露出した粘着剤層１４８をプラダン１３４の第２主面１３４Ｂに押し付けることによって、プラダン１３４に固定される。
【０１０５】
この場合、図８（ａ）に示すように、基板１４２の長さ方向を、プラダン１３４において矢印Ｂで示す前記筋目の方向と交差させて（本例では、直交させて）、取っ手ユニット１３６をプラダン１３４に固定することにより、プラダン１３４の、前記筋目と直交する方向における曲げに対する補強を図ることができる。
【０１０６】
＜欄干パネルの取外し手順＞
続いて、上記の構成を有する取外し用具１３２を用いた、欄干パネル１８の取外し手順について説明する。
【０１０７】
(i)  取外し対象の欄干パネル１８に対応する、内デッキ８６とスカートガード９０（図２）を取外す。
【０１０８】
(ii)  取外し用具１３２のプラダン１３４から剥離紙１４０（図９）を剥がす。
【０１０９】
(iii)  これによって露出した粘着剤層１３８を、図２に示す矢印Ｈ向きに、欄干パネル１８の露出面１８Ｅに重ねて押し付け、取外し用具１３２を粘着剤層１３８による粘着力によって欄干パネル１８に固定する。
【０１１０】
この場合、欄干パネル１８の強化板ガラス１８２が自然破損していたとしても、その上下端縁部が取付部材１０６および固定器具２６に固定されている状態では、平面性が保持されるので、通路ＰＷ側から押し付けるだけで、取外し用具１３２を欄干パネル１８に接着によって固定することができる。
【０１１１】
(iv)  次に、取付部材１０６と固定器具２６の固定を解除する。仮に、取外し用具１３２を固定することなく、取付部材１０６と固定器具２６の固定を解除すると、自然破損した欄干パネル１８は、平面性を失っていて不規則に撓むため、その取り扱いが困難になる。また、撓むことにより、強化板ガラス１８２の第２主面１８２Ｂに対する飛散防止フィルム１８４の非貼着領域における破片が、第１主面１８２Ａに貼着された飛散防止フィルム１８４から脱落しやすくなる。
【０１１２】
この点、欄干パネル１８に取外し用具１３２を貼着することにより、取付部材１０６と固定器具２６の固定を解除した後でも、欄干パネル１８は平面性が保持されるので、その取り扱いが容易になる。また、欄干パネル１８の露出面１８Ｅと言った、第２主面１８２Ｂにおける飛散防止フィルム１８４の非貼着領域の大半に飛散防止フィルムを貼着したのと同様の効果、すなわち、文字通り自然破損した強化板ガラス１８２の粒状の破片が脱落して飛散するのを防止する効果が得られる。
【０１１３】
(v)  そして、取っ手１４６を握ったまま、図１１に示すように、欄干パネル１８を一点鎖線で示す状態から、矢印Ｄの向き、すなわち、下方へ下げて、その上端縁部を取付部材１０６から抜き去り、下部を矢印Ｓの向きに振ることにより、欄干パネル１８を通路ＰＷ側に取り外すことができる。
【０１１４】
＜欄干パネル取外し用具の変形例＞
（変形例１）
取外し用具１３２では、プラダン１３４を欄干パネル１８の露出面１８Ｅに合致した形状とし、第１主面１３４Ａに形成した粘着剤層１３８によって、欄干パネル１８に接着した。すなわち、第１主面１３４Ａの全部が欄干パネル１８への接着面となっており、当然のことながら、当該接着面は露出面１８Ｅに合致した形状となっている。
【０１１５】
これに対し、変形例１に係る取外し用具１５２では、図１２（ａ）に示すように、構成部材であるプラダン１５４は、取外し対象となる欄干パネル１８（以下、「欄干パネル１８ｒ」とする。）に対する接着面を含む接着部１５４ＡＤ（矢印adで示す範囲部分）から、欄干パネル１８ｒの両側に隣接する欄干パネル１８（以下、「欄干パネル１８ｎ1」、「欄干パネル１８ｎ2」とする。）側にそれぞれ延出され、欄干パネル１８ｎ1と欄干パネル１８ｎ2の各々に正面視で重なるプラダン１５４部分ＳＰ（矢印spで示す範囲部分）を有する。以下、プラダンにおいて、取外し対象となる欄干パネルに対する接着面を含む部分を「接着部」と称し、接着部から、当該取外し対象となる欄干パネルの両側に隣接する欄干パネル側に延出された部分を「ストッパ部」と称することとする。
【０１１６】
取外し用具１５２のプラダン１５４において、接着部１５４ＡＤから延出させてストッパ部１５４ＳＰを設けたのは、以下の理由による。上記実施形態の取外し用具１３２（図８）の場合、プラダン１３４の全部が欄干パネル１８ｒに重なるため、取外し用具１３２を用いて欄干パネル１８ｒを取り外す際、誤って、欄干パネル１８ｒを（取外し用具１３２と一緒に）通路ＰＷとは反対側に落下させてしまうおそれが生じる。そこで、上記のようにストッパ部１５４ＳＰを設けることにより、欄干パネル１８ｒが、通路ＰＷと反対側に落下しそうになると、ストッパ部１５４ＳＰが欄干パネル１８ｎ1、欄干パネル１８ｎ2の通路ＰＷ側の主面に当接することで、前記落下の防止を図っているのである。
【０１１７】
（変形例２）
変形例１の取外し用具１５２では、プラダン１５４の接着部１５４ＡＤから、その幅の全長に亘ってストッパ部１５４ＳＰが延出された構成としたが、変形例２に係る取外し用具１５６では、図１２（ｂ）に示すように、プラダン１５８の接着部１５８ＡＤ（矢印adで示す範囲部分）から、その幅方向における一部をストッパ部１５８ＳＰ（矢印spで示す範囲部分）として延出させた構成とした。
【０１１８】
（変形例３）
変形例１、２に係る取外し用具１５２、１５６では、プラダン１５４、１５８の一部によって、ストッパ部１５４ＳＰ、１５８ＳＰを構成することとしたが、変形例３に係る取外し用具１６０は、プラダンとは別個にストッパ部を設けることとした。
【０１１９】
取外し用具１６０は、図１３に示すように、上記実施形態の取外し用具１３２にストッパ部１６２，１６４を追加した構成とした。取外し用具１６０において、取外し用具１３２と同じ構成要素には、同じ符号を付してその説明については省略することとする。
【０１２０】
ストッパ部１６２，１６４の各々は、例えば、アルミ板からなる。ストッパ部１６２，１６４の各々は、接着等によってプラダン１３４の第２主面１３４Ｂに取り付けられている。取外し用具１６０（の第１主面１３４Ａ）が欄干パネル１８ｒに、図示のように接着された状態において、正面視で、その一部が欄干パネル１８ｎ1、欄干パネル１８ｎ2に重なるように、ストッパ部１６２，１６４の各々がプラダン１３４の第２主面１３４Ｂに取り付けられている。
【０１２１】
取外し用具１６０においても、ストッパ部１６２，１６４の一部が欄干パネル１８ｎ1、欄干パネル１８ｎ2の通路ＰＷ側主面に当接することにより、取外し中の欄干パネル１８ｒが通路ＰＷと反対側に落下するのが防止される。
【０１２２】
＜中間パネル以外の欄干パネルに用いられる欄干パネル取外し用具＞
以上、中間パネル１８のための取外し用具１３２、１５２、１５６、１６０について説明したが、次に、ニューエルパネル１７、１９の取外しのための取外し用具について説明する。
【０１２３】
先ず、ニューエルパネル１７、１９の構成について、図１４（ａ）、図１５（ａ）を参照しながら説明する。なお、図１４（ａ）、図１５（ａ）において例示する欄干パネルは、全て、欄干パネル１８（図７）と同様、強化板ガラスの第１主面の全面に貼着された飛散防止フィルムの前記第１主面からはみ出した部分を、第２主面側へ折り返して、当該第２主面に貼着したものである。また、図１４（ａ）、図１５（ａ）において例示する欄干パネルの強化板ガラスにおいて、固定器具(２６)によって支持される下端縁部の範囲と、取付部材(１０６)が取り付けられる端縁部の範囲は、当該強化板ガラスの外周に沿った範囲のみ特定して説明する。
【０１２４】
ニューエルパネル１７を構成する強化板ガラス１７２は、図１４（ａ）に示すように、水平方向に張り出した円弧状縁部を含み、移動手摺２０（図１）の走行方向が反転するように移動手摺２０を案内するガイドレール（不図示）が取付部材（不図示）を介して取り付けられた縁部（以下、強化板ガラスにおいて、移動手摺の走行方向が反転するように当該移動手摺を案内するガイドレールが取り付けられた縁部を「反転縁部」と称する。）１７２Ｒを有している。そこで、第２主面１７２Ｂにおける、反転縁部１７２Ｒにも上端縁部１７２Ｕとほぼ同じ幅で、飛散防止フィルム１７４が貼着されている。また、第２主面１７２Ｂにおける下端縁部１７２Ｌにも、飛散防止フィルム１７４が貼着されている。
【０１２５】
なお、符号１７２Ｎで指し示す縁部、すなわち、反転縁部１７２Ｒと下端縁部１７２Ｌとの間の縁部（以下、強化板ガラスにおける反転縁部と下端縁部との間の縁部を「中間縁部」と称する。）には、図示のように、必ずしも飛散防止フィルム１７４を貼着する必要は無い。中間縁部１７２Ｎは、固定器具２６で支持されたり、取付部材１０６が取り付けられたりしないからである。
【０１２６】
図１４（ａ）において、一点鎖線で区画された内側領域が、ニューエルパネル１７が設置されている状態において、通路ＰＷ側に露出している第２主面１７２Ｂ部分（以下、「露出面１７Ｅ」と言う。）である。
【０１２７】
ニューエルパネル１９についても、図１５（ａ）に示すように、強化板ガラス１９２の第２主面１９２Ｂにおいては、上端縁部１９２Ｕと反転縁部１９２Ｒに亘って、ほぼ同じ幅で飛散防止フィルム１９４が貼着されている。また、下端縁部１９２Ｌにも飛散防止フィルム１９４が貼着されている。中間縁部１９２Ｎには、飛散防止フィルム１９４は貼着されていない。
【０１２８】
図１５（ａ）において、一点鎖線で区画された内側領域が、ニューエルパネル１９が設置されている状態において、通路ＰＷ側に露出している第２主面１９２Ｂ部分（以下、「露出面１９Ｅ」と言う。）である。
【０１２９】
上記の構成からなる（上記の形状をした）ニューエルパネル１７、１９のための取外し用具について説明する。
【０１３０】
先ず、ニューエルパネル１７の取外し用具２００は、図１４（ｂ）に示すように、ニューエルパネル１７の露出面１７Ｅ（図１４（ａ））に合致する形状をしたプラダン２０２を有している。
【０１３１】
プラダン２０２の図１４（ｂ）における背面（第１主面）には、両面テープ（不図示）を接着することにより、粘着剤層および当該粘着剤層に積層された剥離紙（いずれも不図示）が形成されている。プラダン２０２の第２主面２０２Ｂには、複数個（本例では、５個）の取っ手ユニット１３６（図１０）が設けられている。取っ手ユニット１３６の第２主面２０２Ｂへの固定態様は、取外し用具１３２と同様なので、その説明については省略する。
【０１３２】
次に、ニューエルパネル１９の取外し用具２０４について説明する。取外し用具２０４は、図１５（ｂ）に示すように、ニューエルパネル１９の露出面１９Ｅ（図１５（ａ））に合致する形状をしたプラダン２０６を有している。
【０１３３】
プラダン２０６の図１５（ｂ）における背面（第１主面）には、両面テープ（不図示）を接着することにより、粘着剤層および当該粘着剤層に積層された剥離紙（いずれも不図示）が形成されている。プラダン２０６の第２主面２０６Ｂには、複数個（本例では、４個）の取っ手ユニット１３６（図１０）が設けられている。取っ手ユニット１３６の第２主面２０６Ｂへの固定態様は、取外し用具１３２と同様なので、その説明については省略する。
【０１３４】
また、取外し用具２００、２０４を用いたニューエルパネル１７、１９の取外し手順も、取外し用具１３２の場合と同様なので、その説明については省略する。
【０１３５】
なお、取外し用具は、現場で完成（組立て）される。すなわち、エスカレータ１０が設置された現場近くのメンテナンス用具等が保管された保管庫には、プラダン（粘着剤層が形成され剥離紙が積層された状態）と取っ手ユニットとが別々に保管されている。そして、欄干パネルを取り替える必要が生じた際に、当該欄干パネル用のプラダンを選択し、これに取っ手ユニットを必要な分（１個または複数個）接着固定して、欄干パネル取外し工具を完成させて用いるようにしている。取っ手ユニットが固定された状態、すなわち、欄干パネル取外し用具の状態で保管するよりも、プラダン（粘着剤層が形成され剥離紙が積層された状態）と取っ手ユニットとを別々に保管する方が、保管スペースを少なくすることができるからである。
【０１３６】
以上説明したように、取外し用具を構成する板部材であるプラダンの形状は、取外し対象とされる欄干パネルの形状によって異なる。欄干パネルは、上掲した以外にも種々の形状のものが存在する。エスカレータを構成する欄干パネル各々の形状は、主として、当該エスカレータにおける欄干パネルの上述した分割構成が前記垂直割か前記鉛直割か、また、水平ステップが１.５枚か３枚か等によって決まる。上掲した欄干パネル以外の欄干パネルの取外し用具についての図示は省略するが、いずれにしても、取外し用具１３２（図８）、取外し用具２００（図１４（ｂ））、および、取外し用具２０４（図１５（ｂ））と同様な考えの下に構成することができる。
【０１３７】
また、取外し対象とされる欄干パネルの片側または両側に隣接する欄干パネルが存在する場合は、当該隣接する欄干パネルに対応させ、図１２、図１３に示したような、ストッパ部１５４ＳＰ、ストッパ部１５８ＳＰ、またはストッパ部１６２，１６４を設けても構わない。
【０１３８】
以上、本発明に係る欄干パネル取外し用具を実施形態に基づいて説明してきたが、本発明は、上記した形態に限らないことは勿論であり、例えば、以下の形態とすることもできる。
【０１３９】
（１）上記実施形態において、取外し用具を構成するプラダンは、欄干パネル（の露出面１７Ｅ，１８Ｅ，１９Ｅ）に合致した形状としたが、プラダンは必ずしもこの形状に限らない。
【０１４０】
欄干パネルの形状に限らず、例えば、欄干パネルの露出面１７Ｅ，１８Ｅ，１９Ｅよりも小さい面積であるが、相当に大きい面積を有する、円板状、楕円板状、あるいは多角形板状としても構わない。
【０１４１】
すなわち、取外し用具は、形状は任意であるが相当に大きい面積を有するプラダンの片面（第１主面）に粘着剤層を形成し、もう一方の片面（第２主面）側に取っ手を設ける構成としても構わない。
【０１４２】
ここで、相当に大きい面積とは、前記第１主面を、欄干パネルを構成する強化板ガラスに接着した状態で、前記第２主面側に設けられた取っ手によって（取っ手を握って）、当該欄干パネルを吊り下げられるに足りる接着強度が得られる面積をいう。この場合、複数の取外し用具を用いる場合（複数の取外し用具を一の欄干パネルに用いる場合）、当該複数の取外し用具各々の前記接着強度の合計が、欄干パネルを吊り下げるに足りる強度になっていれば良い。
【０１４３】
（２）取外し用具を構成する板部材には、プラダンに限らず、例えば、木製のベニヤ板、あるいは紙製の強化段ボールなどを用いても構わない。
【０１４４】
（３）上記実施形態では、複数個の取っ手１４６で取っ手ユニット１３６を構成したが、取っ手ユニットを構成する取っ手の個数は１個でも構わない。
【０１４５】
（４）上記実施形態では、取っ手１４６を、基板１４２を介して、板部材（プラダン、ベニヤ板、強化段ボール等）に固定したが、これに限らず、取っ手を板部材に直接固定することとしても構わない。固定手段には、接着剤、ねじ等を用いることができる。
【０１４６】
（５）上記実施形態では、強化板ガラスの第１主面に加え、第２主面の一部にも飛散防止フィルムが貼着された欄干パネルを取外しの対象としたが、取外し用具１３２、１５２、１５６、１６０、２００、２０４は、強化板ガラスの第１主面のみに飛散防止フィルムが貼着された従来の欄干パネルも取外しの対象とすることができる。
【０１４７】
（６）上記実施形態では、取外し対象となる欄干パネルを有する乗客コンベアを、エスカレータを例に説明したが、本発明に係る欄干パネル取外し用具は、環状に連結された複数のパレットからなる無端搬送体やゴムベルトからなる無端搬送体を循環走行させて乗客を搬送する移動歩道を構成する欄干パネルの取外しにも適用可能である。
【産業上の利用可能性】
【０１４８】
本発明に係る欄干パネル取外し用具は、例えば、エスカレータや移動歩道を構成する欄干パネルの取外しに好適に利用可能である。
【符号の説明】
【０１４９】
１３２，１５２，１５６，１６０，２００，２０４    欄干パネル取外し用具
１３４，１５４，１５８，２０２，２０６    プラスチック段ボール
１３８    粘着剤層
１４６    取っ手
【図１】
2018002448.tif 000003
【図２】
2018002448.tif 000004
【図３】
2018002448.tif 000005
【図４】
2018002448.tif 000006
【図５】
2018002448.tif 000007
【図６】
2018002448.tif 000008
【図７】
2018002448.tif 000009
【図８】
2018002448.tif 000010
【図９】
2018002448.tif 000011
【図１０】
2018002448.tif 000012
【図１１】
2018002448.tif 000013
【図１２】
2018002448.tif 000014
【図１３】
2018002448.tif 000015
【図１４】
2018002448.tif 000016
【図１５】
2018002448.tif 000017